(57)【要約】【課題】配水管等における漏水の有無を高精度に判定する漏水判定装置を提供する。【解決手段】漏水判定装置１０は、地中に埋設された主配水管１から分岐した給水管２の漏水の有無を判定するために、給水管２の振動を検出すると検出信号を発生する振動検出部１１と、振動の検出信号をサンプリングするサンプリング処理部１３と、サンプリングされた検出信号の値を加算処理する加算処理部１４と、加算値Ｙが判定値Ｈ以上となる場合に、漏水有りと一次判定する漏水一次判定部１５と、基準回数以上、漏水有りと継続して一次判定された場合に、最終的に漏水有りと判定する漏水最終判定部１６とを備える。【選択図】      図１
2006349572.tif 000002
【特許請求の範囲】
【請求項１】
地中に埋設された主配水管から分岐した給水管の漏水の有無を判定するための漏水判定装置であって、
前記給水管の振動を検出すると、検出信号を発生する振動検出手段と、
前記振動の検出信号を、予め設定された計測時間内に一定間隔でサンプリングする手段と、
前記サンプリングされた検出信号の値を加算処理する手段と、
前記加算処理された加算値が予め設定された判定値以上となる場合に、漏水有りと一次判定する漏水一次判定手段と、
前記一次判定を複数回実行したときに、予め決められた基準回数以上、漏水有りと継続して一次判定された場合に、最終的に漏水有りと判定する漏水最終判定手段と
を備えたことを特徴とする漏水判定装置。
【請求項２】
請求項１に記載の漏水判定装置において、
前記漏水最終判定手段は、前記一次判定を複数回実行したときに、今回の一次判定による加算値が前回の一次判定による加算値より常に上回っている場合に、最終的に漏水有りと判定する
ことを特徴とする漏水判定装置。
【請求項３】
請求項１に記載の漏水判定装置において、
前記給水管の流量を測定する測定手段を更に備え、
前記漏水一次判定手段は、前記測定手段により測定された流量値が予め設定された基準流量値以下の状態となる場合であって、その状態の時間が予め設定された時間を超えた場合に、今回の一次判定を実行する
ことを特徴とする漏水判定装置。
【請求項４】
地中に埋設された給水管からの漏水により生じた振動を、センサにて捉えることにより漏水の有無を判定するための漏水判定装置であって、
前記給水管に設置したセンサにより捉らえた信号を一定間隔でサンプリングする手段と、
前記サンプリングした結果を一定時間、加算処理する手段と、
前記加算結果が一定レベル以上の場合に、一定間隔毎に漏水の一次判定を行う漏水一次判定手段と、
前記一次判定結果が、予め決められた回数分、漏水有り判定で継続した場合に、最終的な漏水有り判定を行う漏水最終判定手段と
を備えたことを特徴とする漏水判定装置。
【請求項５】
請求項４に記載の漏水判定装置において、
前記漏水最終判定手段は、前記漏水一次判定手段により一定間隔毎に漏水の一次判定を行い、前記一次判定結果が漏水の判定レベル以上である場合であって、予め決められた回数において、全ての判定結果が前回の判定レベルの結果を上回っている場合に、最終的な漏水有り判定を行う
ことを特徴とする漏水判定装置。
【請求項６】
請求項４に記載の漏水判定装置において、
前記給水管に管内の流量を測定する流量計を更に備え、
前記漏水一次判定手段は、
前記給水管内に流量が発生していた場合は、ある一定待ち時間の間、流量が一定レベル以下になるのを待ち、
前記一定待ち時間内に流量が下がらない場合には、今回の一次判定をキャンセルし、判定するタイミングをずらして漏水一次判定を行い、
前記給水管内の流量が、一定時間の間、ある一定レベル以下であることを確認した上で、漏水の一次判定を行う
ことを特徴とする漏水判定装置。
【請求項７】
地中に埋設された主配水管から分岐した給水管の漏水の有無を判定するための漏水判定方法であって、
前記給水管の振動を検出すると、検出信号を発生する振動検出ステップと、
前記振動の検出信号を、予め設定された計測時間内に一定間隔でサンプリングするステップと、
前記サンプリングされた検出信号の値を加算処理するステップと、
前記加算処理された加算値が予め設定された判定値以上となる場合に、漏水有りと一次判定する漏水一次判定ステップと、
前記一次判定を複数回実行したときに、予め決められた基準回数以上、漏水有りと継続して一次判定された場合に、最終的に漏水有りと判定する漏水最終判定ステップと
を備えたことを特徴とする漏水判定方法。
【請求項８】
請求項７に記載の漏水判定方法において、
前記漏水最終判定ステップは、前記一次判定を複数回実行したときに、今回の一次判定による加算値が前回の一次判定による加算値より常に上回っている場合に、最終的に漏水有りと判定する
ことを特徴とする漏水判定方法。
【請求項９】
請求項７に記載の漏水判定方法において、
前記給水管の流量を測定する測定ステップを更に備え、
前記漏水一次判定ステップは、前記測定ステップにより測定された流量値が予め設定された基準流量値以下の状態となる場合であって、その状態の時間が予め設定された時間を超えた場合に、今回の一次判定を実行する
ことを特徴とする漏水判定方法。
【発明の詳細な説明】
【技術分野】
【０００１】
本発明は、配水管等の地下埋設物が破損等により漏水しているか否かを判定する漏水判定装置に係り、特に高精度に漏水しているか否かを判定できる漏水判定装置に関する。
【背景技術】
【０００２】
従来から配水管等における漏水が問題視されている。特に都心部においては、自動車や列車等の振動によりセメントで作られた配水管等の老朽化が進んでおり、大量の水が配水管等から漏れている。
【０００３】
そのため、配水管等において漏水が生じているか否かを判定することが重要となっている。
【０００４】
例えば、漏水が生じているか否かを判定する方法の一つとして、地表から配水管等が地中に埋設されていそうな位置での振動を、調査員が耳で聞いて確かめることにより漏水の有無の判定を行う方法がある。この方法では、調査員が、漏水音が一番良く聞こえる位置を見つけ、その場所を堀ってから配水管等を調べることにより漏水が生じているか否かが判定される。
【０００５】
しかしながら、この方法は、調査員が配水管上の振動を耳で調べているので、熟練した技能を要するものである。
【０００６】
また、他の方法として、配水管上の振動信号を検出して、一定レベル以上の信号が単位時間内に占める割合を時間積分して求め、その時間積分した値が一定レベルを超えた場合に漏水が生じていると判定する方法もある。この方法では、漏水の検査を１回実行する度に、単位時間における信号を測定して漏水の有無を判定する（例えば、特許文献１参照）。
【特許文献１】特開昭６１−２１３６４７号公報
【発明の開示】
【発明が解決しようとする課題】
【０００７】
しかしながら、上述した特許文献１の方法では、漏水検査時の時間帯や配水管等の雰囲気により判定結果が変わってしまうため、信頼性に欠ける点があった。
【０００８】
本発明の目的は、配水管等における漏水の有無を高精度に判定する漏水判定装置を提供することである。
【課題を解決するための手段】
【０００９】
上記課題を解決するために、本発明による漏水判定装置は、地中に埋設された主配水管から分岐した給水管の漏水の有無を判定するために、給水管の振動を検出すると検出信号を発生する振動検出手段と、振動の検出信号を予め設定された計測時間内に一定間隔でサンプリングする手段と、サンプリングされた検出信号の値を加算処理する手段と、加算処理された加算値が予め設定された判定値以上となる場合に漏水有りと一次判定する漏水一次判定手段と、一次判定を複数回実行したときに、予め決められた基準回数以上、漏水有りと継続して一次判定された場合に、最終的に漏水有りと判定する漏水最終判定手段とを備える。
【発明の効果】
【００１０】
本発明によれば、配水管等が漏水しているか否かを高精度に判定できる。
【発明を実施するための最良の形態】
【００１１】
以下、図面を参照して本発明の実施形態を説明する。
【００１２】
＜第1の実施形態＞
図１は本発明の第１の実施形態に係る漏水判定装置１０の構成を示す模式図である。
【００１３】
漏水判定装置１０は、地中に埋設された主配水管１から分岐した給水管２の漏水の有無を判定するために、振動検出部１１、信号増幅部１２、サンプリング処理部１３、加算処理部１４、漏水一次判定部１５、漏水最終判定部１６及び制御部１７を備える。
【００１４】
なお、ここでは、水が家屋等の建物３に供給される場合、図２に示すように、地中に埋設された主配水管１から分岐した給水管２を介して供給されることを前提としている。
【００１５】
振動検出部１１は、給水管２の振動を検出すると検出信号を発生するものである。具体的には、加速度センサ、振動センサ、マイクロホン等の各種センサが用いられ、漏水により発生した振動が検出される。
【００１６】
すなわち、漏水が生じている場合、給水管２の振動として継続的に発生する振動が検出される。一方、漏水が生じていない場合、継続的に発生する振動は少なく、小さな値の振動が検出される。また、検出された振動は電気信号に変換され、信号増幅部１２に送出される。
【００１７】
なお、振動検出部１１は、制御部１７が設定した計測開始時刻になると起動して、給水管２の振動の検出を開始する。
【００１８】
信号増幅部１２は、振動検出部１１から送出されてきた振動の検出信号を増幅して、漏水信号としてサンプリング処理部１３に送出する。ここで、漏水信号は、例えば図３に示すように、横軸を時間、縦軸を電圧として検出されるものである。
【００１９】
サンプリング処理部１３は、制御部１７により予め設定された計測時間Ｔ内に、漏水信号を一定間隔でサンプリングするものである。ここでは、アナログ信号をデジタル信号に変換するＡ／Ｄ変換機能を備え、数秒間等の一定周期で漏水信号をサンプリングする。これにより漏水信号は、数値情報となるデジタル信号に変換される。図３においては、計測時間Ｔにおける連続的な振動を、一定周期で割り、ｎ個の電圧値ｙ（ｎ）を算出している。
【００２０】
また、Ａ／Ｄ変換された漏水信号は加算処理部１４に送出される。
【００２１】
加算処理部１４は、サンプリングされた漏水信号の電圧値ｙ（ｎ）を加算処理するものである。ここでは、デジタル信号に変換された漏水信号の電圧値ｙ（ｎ）のデータを、絶対値｜ｙ（ｎ）｜として加算処理して、加算値Σ｜ｙ（ｎ）｜（≡Ｙ）を算出する。
【００２２】
漏水一次判定部１５は、加算処理された電圧の加算値Ｙが予め設定された漏水判定値Ｈ以上となる場合に、漏水有りと一次判定するものである。
【００２３】
すなわち、加算処理部１４により加算処理された電圧の加算値Ｙと、漏水判定値Ｈとを比較する。そして、加算値Ｙが漏水判定値Ｈ以上の場合は、「漏水有り」と一次判定する。一方、加算値が漏水判定値Ｈ以下の場合は、「漏水無し」と一次判定する。
【００２４】
換言すれば、一定時間内に捉えた信号を、一定周期でサンプリングし、その結果を加算処理することで相対的な値の大小を求め、継続的に発生する漏水振動を検出している。
【００２５】
なお、一次判定の結果は漏水最終判定部１６に送出される。
【００２６】
漏水最終判定部１６は、一次判定を複数回実行したときに、予め決められた基準回数Ｘ以上、漏水有りと一次判定された場合に、最終的に漏水有りと判定するものである。
【００２７】
具体的には、漏水有りと一次判定された結果の継続回数をカウントする。そして、漏水有りと一次判定された回数が５回（基準回数Ｘ＝５とする）継続した場合に、最終的に漏水有りと判定する。
【００２８】
すなわち、図４に示すように、漏水有りと５回継続して一次判定された場合に、漏水が生じていると最終判定される。一方、漏水有りと５回継続して一次判定されなかった場合、即ち１回でも漏水無しと判定された場合は、今までの継続回数がクリアされ、また１回目から継続回数をカウントすることとなる。
【００２９】
制御部１７は、漏水判定装置１０における信号の入出力を制御するものである。また、振動検出部１１の起動する計測開始時刻を設定したり、サンプリング処理部１３における計測時間Ｔを設定したりする。
【００３０】
なお、計測開始時刻は、1日1回、週1回、月1回等の間隔で設定することができるものである。ここでは、１日1回、毎日ある決められた深夜の時刻に設定されるものとする。
【００３１】
（漏水判定装置１０の動作）
次に、本実施形態に係る漏水判定装置１０の動作を図５のフローチャートを用いて説明する。
【００３２】
まず、制御部１７に、1日1回の間隔で騒音の少ない深夜等の時間帯に計測開始時刻及び計測時間Ｔが設定される（Ｓ１）。これにより、計測開始時刻になると、振動検出部１１が起動する。
【００３３】
続いて、振動検出部１１により給水管２の振動が検出されると、検出信号が生じる（Ｓ２）。そして、振動検出部１１に取り込まれた検出信号が、計測時間Ｔの間、一定周期でサンプリングされる。その後、一定周期でサンプリングされた信号の電圧値が加算処理されて加算値Ｙが算出される（Ｓ３）。
【００３４】
続いて、加算処理された加算値Ｙと漏水判定値Ｈとが比較される。この際、加算処理された加算値Ｙが漏水判定値Ｈを下回った場合は、漏水無し、と一次判定される（Ｓ４−Ｎｏ，Ｓ５）。そして、次回の計測開始時刻まで待ち状態となる（Ｓ６）。
【００３５】
一方、加算値Ｙが漏水判定値Ｈを上回った場合は、漏水有り、と一次判定される。（Ｓ４−Ｙｅｓ，Ｓ７）
ここで、更に、漏水有りの一次判定が、基準回数分の５回継続しているか否かが漏水最終判定部１６により判定される。この際、漏水有りの一次判定が、５回継続していない場合は、「漏水無し」と判定される（Ｓ８−Ｎｏ，Ｓ９）。
【００３６】
そして、計測時間Ｔの時間内であれば、継続回数ｉのカウントを１増やして、次回の計測開始時刻まで待ち状態となる（Ｓ１０−Ｙｅｓ、Ｓ１１）。一方、既に計測時間Ｔを超えている場合には、計測は終了する（Ｓ１０−Ｎｏ，Ｓ１３）。
【００３７】
また、漏水有りと５回数継続して一次判定された場合は、漏水最終判定部１６により「漏水有り」と最終判定され、警告表示若しくは警告音等が出力される（Ｓ８−Ｙｅｓ，Ｓ１２）。
【００３８】
そして、計測が終了する（Ｓ１３）。
【００３９】
以上説明したように、本実施形態に係る漏水判定装置１０は、給水管２の振動を検出すると検出信号を発生する振動検出部１１と、振動の検出信号をサンプリングするサンプリング処理部１３と、サンプリングされた検出信号を加算処理する加算処理部１４と、加算値Ｙが判定値Ｈ以上となる場合に、漏水有りと一次判定する漏水一次判定部１５と、基準回数X以上、漏水有りと継続して一次判定された場合に、最終的に漏水有りと判定する漏水最終判定部１６とを備えた構成により、給水管２が漏水しているか否かを高精度に判定できる。すなわち、配水管等の漏水の有無を確実に検出でき、信頼性の高い漏水判定装置１０を提供できる。
【００４０】
また、本実施形態に係る漏水判定装置１０によれば、配水管等の地下埋設物の破損等によって漏水が生じた場合、その漏水等による地中への配水管内物質の放出による振動を検知することにより、配水管等の破損箇所を特定できる。これにより、速やかに配水管等を修復処置することにより、水資源等の社会的な財産を守ることができる。
【００４１】
＜第２の実施形態＞
本発明の第２の実施形態に係る漏水判定装置１０Ｔは、第１の実施形態の変形例であり、漏水の最終判定の方法が異なるものである。
【００４２】
本実施形態に係る漏水最終判定部１６は、一次判定を複数回実行した場合、今回の一次判定による加算値が前回の一次判定による加算値より常に上回っている場合に、最終的に漏水有りと判定する。
【００４３】
詳しくは、漏水を確実に検出するために、漏水有りと基準回数であるＸ回継続して一次判定されるという条件に加えて、一次判定による加算値Ｙが、２回目が１回目以上、３回目が２回目以上というように、前回の一次判定結果の加算値以上となっていることを条件として、最終的に漏水が生じているか否かを判定する。
【００４４】
次に、本実施形態に係る漏水判定装置１０Ｔの動作を図６を用いて説明する。
【００４５】
前提として、漏水の判定は、毎日ある決められた深夜の時間帯に実施される。その結果の漏水有りと継続して一次判定がなされ、かつ、最新の一次判定による加算値Ｙ’が前回の一次判定による加算値Ｙ以上となっている状態が５回継続した場合に、最終的に漏水有りと判定する。
【００４６】
ここで、漏水有りと継続して一次判定がなされても、一次判定の計測結果による加算値Ｙ’が前回の計測結果による加算値Ｙを下回った場合は、今までの継続回数をクリアし、また１回目から継続回数のカウントが行われる。
【００４７】
このように、漏水有りと継続して一次判定されている場合に、漏水有りと最終判定するので、給水管２がノイズにより振動しているのではなく、漏水により振動していることを確実に検出することができる。
【００４８】
＜第３の実施形態＞
図７は本発明の第３の実施形態に係る漏水判定装置１０Ｕの構成を示す模式図である。なお、既に説明した部分と同一部分には同一符号を付し、重複した説明を省略する。
【００４９】
第３の実施形態は第１の実施形態の変形例であり、ノイズの影響を抑える観点から、漏水判定装置１０Ｕは前述した漏水判定装置１０において、測定部５を更に備えている。
【００５０】
測定部５は、給水管２の流量を測定するものであり、給水管２内の流量値を計測するための電磁流量計、超音波流量計等の流量計が用いられる。
【００５１】
また、測定部５は、制御部１７が設定した計測開始時刻になると起動して、給水管２の流量値を計測する。そして、計測された流量値は制御部１７に送出される。
【００５２】
振動検出部１１は、制御部１７の命令に応じて起動し、漏水振動の計測を開始する。具体的には、測定部５により測定された給水管２内の流量値が基準流量値Ｆ以上の場合を有、基準流量値Ｆ以下の場合を無とした場合、計測開始時刻後に、給水管２内の流量が無の状態が予め設定された時間継続した場合に、「計測状態」となり漏水振動の計測を開始する（図８（Ａ）参照）。ここでは、給水管２内の流量が無の状態が、３分間継続した場合に、計測状態になるものとする。
【００５３】
一方、計測開始時刻における給水管２内の流量が有の場合は、流量が無の状態が３分間継続するまで、「待ち状態」となる。そして、流量が無の状態が３分間継続して、計測状態となった場合には、漏水振動の計測を行う（図８（Ｂ）参照）。
【００５４】
また、計測開始時刻における給水管２内の流量が有の状態が継続し、予め決められた「待ち時間」の間に、計測状態とならなかった場合は、今回の計測を中止する。（図８（Ｃ）参照）。なお、ここでは待ち時間を３０分間とし、その間に流量が無の状態が３分間継続しなかった場合は、今回の計測を中止するものとする。
【００５５】
漏水一次判定部１５は、制御部１７の命令に応じて、一次判定を行う。すなわち、後述するように、測定部５により測定された給水管２内の流量値が基準流量値Ｆ以下の状態となる場合であって、その状態の時間が予め設定された時間（３分間）を超えた場合に、一次判定を実行する。
【００５６】
制御部１７は、給水管２内の流量値が予め設定された基準流量値Ｆ以上の場合を有、基準流量値Ｆ以下の場合を無とした場合、計測開始時刻後に、給水管２内の流量が無の状態が予め設定された時間（３分間）継続した場合に振動検出部１１を起動する。
【００５７】
また、制御部１７は、測定部５により測定された流量値が予め設定された基準流量値Ｆ以下の状態となる場合であって、その状態の時間が予め設定された時間（３分間）を超えた場合には、漏水一時判定部１５に一次判定の実行をするように命令を送出する。
【００５８】
（漏水判定装置１０Ｕの動作）
次に、本実施形態に係る漏水判定装置１０Ｕの動作を図９のフローチャートを用いて説明する。
【００５９】
まず、制御部１７に、計測開始時刻及び計測時間Ｔが設定される（Ｕ１）。ここでは、漏水の判定は、月1回、騒音等の少ない深夜の時間帯に実行されるように設定される。
【００６０】
続いて、計測開始時刻になると、測定部５により給水管２内の流量が計測される（Ｕ２）。そして、給水管２内の流量値が、基準流量値F以下である状態が３分間継続した場合は測定状態となり、振動検出部１１が起動して漏水振動の計測が開始される（Ｕ３−Ｙｅｓ，Ｕ９）。
【００６１】
一方、流量計における給水管２内の流量値が、基準流量値Fより大きい場合は待ち状態となる（Ｕ３−Ｎｏ，Ｕ４）。そして、待ち時間である３０分間の間に、測定状態となるか否かが判定される。
【００６２】
この結果、３０分間以内に測定状態となれば、計測が開始される（Ｕ５−Ｎｏ，Ｕ９）。
【００６３】
一方、３０分間以内に測定状態とならない場合は、漏水振動の計測日ｄの設定が翌日に変更される（Ｕ５−Ｙｅｓ，Ｕ６）。
【００６４】
そして、漏水振動の再計測が３回続くか否かが判定され、３回目となった場合は、当月の計測は中止されて、翌月に計測するように計測月Ｍの設定が変更される（Ｕ７−Ｙｅｓ，Ｕ８）。なお、漏水振動の再計測が３回続かない場合は、再度計測が実行される（Ｕ７−Ｎｏ，Ｕ２）。
【００６５】
次に、ステップＵ９のおいて、振動検出部１１が起動して漏水振動の計測が開始された場合、給水管２の振動が検出されると、振動検出部１１より検出信号が生じる。そして、振動検出部１１に取り込まれた検出信号が、計測時間Ｔの間、一定周期でサンプリングされる。その後、一定周期でサンプリングされた信号の電圧値が加算処理されて加算値Ｙが算出される（Ｕ１０）。
【００６６】
続いて、加算処理された加算値Ｙと漏水判定値Ｈとが比較される。この際、加算値Ｙが漏水判定値Ｈを下回った場合は、漏水無しと一次判定される（Ｕ１１−Ｎｏ，Ｕ１２）。そして、次回の計測開始時刻まで待ち状態となる（Ｕ１３）。
【００６７】
一方、ステップＵ１１において、加算値Ｙが漏水判定値Ｈを上回った場合は、漏水有りと一次判定される。（Ｕ１１−Ｙｅｓ，Ｕ１４）
ここで、更に、漏水有りの一次判定が、基準回数分の５回継続しているか否かが判定される。この際、漏水有りの一次判定が、５回継続していない場合は、「漏水無し」と判定される（Ｕ１５−Ｎｏ，Ｕ１６）。
【００６８】
そして、計測時間Ｔの時間内であれば、継続回数ｉのカウントを１増やして、次回の計測開始時刻まで待ち状態となる（Ｕ１７−Ｙｅｓ、Ｕ１８）。なお、既に計測時間Ｔを超えている場合には、漏水振動の計測日ｄの設定が翌週に変更され、再計測される（Ｕ１７−Ｎｏ，Ｕ１９）。
【００６９】
一方、ステップＵ１５において、漏水有りと５回数継続して一次判定された場合は、漏水最終判定部１５により「漏水有り」と最終判定され、警告表示若しくは警告音等が出力される（Ｕ１５−Ｙｅｓ，Ｕ２０）。
【００７０】
そして、計測が終了する（Ｕ２１）。
【００７１】
以上説明したように、本実施形態に係る漏水判定装置１０Ｕは、給水管２の流量を測定する測定部５を更に備え、漏水一次判定部１５は、測定部５により測定された流量値が予め設定された基準流量値Ｆ以下の状態となる場合であって、その状態が予め設定された時間として３分を超えた場合に、一次判定を実行するので、給水管２が水道の利用によるノイズにより振動しているのではなく、漏水により振動していることを確実に検出することができる。
【００７２】
すなわち、測定部５を設けることにより、給水管２内の流量値が基準流量値Ｆ以下の場合に、漏水の計測を行うことができ、漏水の有無の判定精度の向上を図ることができる。
【００７３】
なお、従来の漏水判定装置では、図９に示されるように、漏水振動が閾値Ｖｎを超えたときの時間ｔｎ（図９において、ｎ＝１〜５）から計測値Σｔｎ／Ｔ（≡Ｎ）を求め、この計測値Ｎと、予め決められた判定値との比較により、漏水の有無を判定している。
【００７４】
すなわち、閾値Ｖｎを超える時間の長さに基づいて漏水の有無を判定する。このため、本発明と比べて、電気回路の構成に整流回路とコンパレータとが必要となるので、装置が大きくなってしまう。
【００７５】
これに対して、本発明は、回路構造が簡略化され、装置の小型化を図ることができるので、水道メーター等の既存の装置に組み込むことも容易にできる。本発明に係る漏水判定装置を既存の水道メーターに組み込むことにより、水道の検針と同時に漏水の調査を行うこともでき、漏水の調査費用の削減に資する。
【００７６】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に構成要素を適宜組合せてもよい。
【図面の簡単な説明】
【００７７】
【図１】本発明の第１の実施形態に係る漏水判定装置１０の構成の一例を示す模式図である。
【図２】同実施形態に係る漏水判定装置１０の設置場所の一例を示す模式図である。
【図３】同実施形態に係る漏水信号の一例を示す図である。
【図４】同実施形態に係る漏水の最終判定の方法を説明するための図である。
【図５】同実施形態に係る漏水判定装置１０の動作を説明するためのフローチャートである。
【図６】本発明の第２の実施形態に係る漏水判定装置１０Ｔの動作を説明するための図である。
【図７】本発明の第３の実施形態に係る漏水判定装置１０Ｕの構成の一例を示す模式図である。
【図８】同実施形態に係る振動検出部１１が起動する条件を説明するための図である。
【図９】同実施形態に係る漏水判定装置１０Ｕの動作を説明するためのフローチャートである。
【図１０】従来の漏水判定装置の漏水の判定方法を説明するための図である。
【符号の説明】
【００７８】
１…配水管、２…給水管、３…建物、５…測定部、１０…漏水判定装置、１１…振動検出部、１２…信号増幅部、１３…サンプリング処理部、１４…加算処理部、１５…漏水一次判定部、１６…漏水最終判定部、１７…制御部。
【図１】
2006349572.tif 000003
【図２】
2006349572.tif 000004
【図３】
2006349572.tif 000005
【図４】
2006349572.tif 000006
【図５】
2006349572.tif 000007
【図６】
2006349572.tif 000008
【図７】
2006349572.tif 000009
【図８】
2006349572.tif 000010
【図９】
2006349572.tif 000011
【図１０】
2006349572.tif 000012